(57)【特許請求の範囲】
【請求項１】
光源素子が配置された光源フレームと、
前記光源素子を覆うように前記光源フレームの外側に配置された長尺状の中空体であり、前記光源フレームを基準として前記光源素子と反対側に開孔が形成されたカバー体と、
前記反対側であって、前記カバー体の外側に配置された外部フレームと、
前記光源フレームと前記外部フレームと締結する締結部材と、
前記締結部材と前記開孔の縁部との間に配置された弾性体と
を備えた光源ユニット。
【請求項２】
前記弾性体は、
前記締結部材と前記開孔の縁部とに密着した状態で前記締結部材と前記開孔の縁部との間に弾性変形可能に配置されている請求項１に記載の光源ユニット。
【請求項３】
前記弾性体は、筒形である請求項１又は２に記載の光源ユニット。
【請求項４】
前記弾性体は、
前記締結部材と前記開孔の縁部との間に配置された状態で、
前記弾性体の内周部が前記締結部材と密着し、前記弾性体の外周部が前記開孔の縁部と密着している請求項１から３のいずれか１項に記載の光源ユニット。
【請求項５】
前記弾性体は、
屈曲部を有する状態で前記締結部材と前記開孔の縁部との間に配置された請求項１から４のいずれか１項に記載の光源ユニット。
【請求項６】
前記弾性体は、内環部と中環部とを有し、前記内環部と前記中環部とは、第１の隙間を挟んで離間している請求項１から５のいずれか１項に記載の光源ユニット。
【請求項７】
前記弾性体は、さらに外環部を有し、前記中環部と前記外環部とは、第２の隙間を挟んで離間している請求項６に記載の光源ユニット。
【請求項８】
前記カバー体は、
前記締結部材を基準として、前記弾性体の筒軸の方向、或いは前記弾性体の筒軸と交差する方向に相対的な位置変位が可能である請求項１から７のいずれか１項に記載の光源ユニット。
【請求項９】
前記弾性体は、外環部と中環部と内環部とを有し、
前記外環部は、前記カバー体に固定されており、
前記内環部は、前記締結部材に固定されており、
前記外環部は、前記中環部を介して前記内環部に対して相対的に位置変異が可能であり、
前記外環部が前記内環部に対して位置を移動させることにより、前記カバー体が前記光源フレームと前記外部フレームとに対して相対的な位置変位が可能である請求項１から８のいずれか１項に記載の光源ユニット。
【請求項１０】
前記弾性体は、
前記締結部材及びカバー体よりも硬度が低い材料で形成された請求項１から９のいずれか１項に記載の光源ユニット。
【請求項１１】
光源フレームと外部フレームは前記締結部材により複数箇所で締結されている請求項１から１０のいずれか１項に記載の光源ユニット。
【請求項１２】
照明器具と、
請求項１から１１のいずれか１項に記載の光源ユニットと
を備えた照明装置。
【発明の詳細な説明】
【技術分野】
【０００１】
この発明は、光源ユニット、光源ユニットの製造方法及び照明装置に関する。
【背景技術】
【０００２】
水密性が高く、放熱性にも優れたＬＥＤ照明装置が開示されている（例えば、特許文献１参照）。
また、温度変化に起因した不具合の発生を抑制する照明器具が開示されている（例えば特許文献２参照）。
【先行技術文献】
【特許文献】
【０００３】
【特許文献１】実用新案登録第３１７５４２２号公報
【特許文献２】特開２０１５−１４６２６３号公報
【発明の概要】
【発明が解決しようとする課題】
【０００４】
従来の照明装置は、膨張量（収縮量）が異なる部材間の相対変位を吸収するために複雑な構成を要していた。また、吸収可能な方向に制約がありその効果は必ずしも十分ではなかった。
【０００５】
本発明は、光源ユニットにおいて、使用環境の温度又は湿度に対応して発生する相対変位を吸収する簡易な構成を提供する。
【課題を解決するための手段】
【０００６】
この発明の一態様に係る光源ユニットは、
光源素子が配置された光源フレームと、
前記光源素子を覆うように前記光源フレームの外側に配置されるとともに、前記光源フレームを基準として前記光源素子と反対側に開孔が形成されたカバー体と、
前記反対側であって、前記カバー体の外側に配置された外部フレームと、
前記光源フレームと前記外部フレームと締結する締結部材と、
前記締結部材と前記開孔の縁部との間に配置された弾性体と
を備えたことを特徴とする。
【発明の効果】
【０００７】
本発明によれば、簡易な構成によって、光源ユニットの使用環境の温度又は湿度に対応して発生する部品の相対変位を吸収することができる。特に、膨張量（収縮量）が異なる部材間の相対変位をストレスフリーに吸収することができる。
【図面の簡単な説明】
【０００８】
【図１】照明装置（光源ユニット＋照明器具）組立斜視図。
【図２】照明装置（光源ユニット＋照明器具）分解斜視図。
【図３】光源ユニット組立斜視図。
【図４】光源ユニット分解斜視図。
【図５】光源ユニット要部分解斜視図。
【図６】光源ユニット要部分解斜視図。
【図７】光源ユニット３面図。
【図８】照明装置及び光源ユニットのＡ−Ａ断面図。
【図９】光源ユニット左側面図。
【図１０】光源ユニット正面図（図７）のＣ−Ｃ断面図。
【図１１】光源ユニット（図８）のＤ−Ｄ断面図。
【図１２】カバーパッキン斜視図。
【図１３】カバーパッキン三面図。
【図１４】端部カバー斜視図。
【図１５】端部カバー六面図。
【図１６】端部カバー３０Ｌの断面図。
【図１７】取付金具５０Ｌの斜視図。
【図１８】照明装置及び光源ユニットのＡ−Ａ断面の部分拡大図。
【図１９】図１８のＥ−Ｅ断面図。
【図２０】端部カバー３０Ｌにおける排水性を説明する図。
【図２１】取付金具５０Ｌ−１の斜視図。
【図２２】取付金具５０Ｌ−１の照明器具２００への取り付けを示す断面図。
【図２３】光源ユニットの製造方法を示す図。
【図２４】光源ユニットの製造方法を示す図。
【図２５】防水型電源装置斜視図。
【図２６】防水型電源装置の分解斜視図。
【図２７】カバー体膨張時の作用効果を示す図。
【図２８】カバー体収縮時の作用効果を示す図。
【図２９】光源ユニットの製造方法を示す図。
【発明を実施するための形態】
【０００９】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、部品等の配置や向き等を限定するものではない。
【００１０】
実施の形態１．
＊＊＊構成の説明＊＊＊
（照明装置３００の構成概要）
図１、図２に示すように、照明装置３００は、光源ユニット１００と照明器具２００とを備えている。
光源ユニット１００は、端部カバー３０Ｌ（第一の端部カバー）、端部カバー３０Ｒ（第二の端部カバー）に設けられたネジ貫通孔３４Ｌ、ネジ貫通孔３４Ｒを貫通するネジ９６Ｌ、ネジ９６Ｒによって照明器具２００に取り付けられる。
ネジ貫通孔３４Ｌ，ネジ貫通孔３４Ｒは、キャップ９０Ｌ、キャップ９０Ｒで蓋がされる。
図２に示すように、照明器具２００は、光源ユニット１００を収納する収納口となる開口２０１が縁２０２と縁２０３とにより長手方向に沿って形成されている。
開口２０１の一つの縁２０２がカバー体１０００の長手方向に沿ってカバー体１０００と隙間をなし、この一つの縁２０２に対向する別の縁２０３がカバー体１０００の長手方向に沿ってカバー体１０００と隙間をなしている。
【００１１】
図３、図４に示すように、光源ユニット１００は、光源フレーム８００、カバー体１０００、外部フレーム６０、及び、防水型電源装置８０を備えている。
また、光源ユニット１００は、両端に、カバーパッキン２０Ｌ（第一のパッキン）、カバーパッキン２０Ｒ（第二のパッキン）、端部カバー３０Ｌ（第一の端部カバー）、端部カバー３０Ｒ（第二の端部カバー）、及び、取付金具５０Ｌ，５０Ｒ（第三の取付具）を備えている。
【００１２】
以下、光源ユニット１００の各構成要素について図面を用いて説明する。
【００１３】
（ハーネス９９０）
防水型電源装置８０の右端には電力を供給するハーネス９９０が接続される。ハーネス９９０は結束具９９３により複数の電線が束ねられたものである。また、防水型電源装置８０の左端には、電線カバー９９４が固定されている。
図４に示すように、防水型電源装置８０に最も近い結束具９９３は、ネジ８８により外部フレーム６０に固定される。
防水型電源装置８０の左端から出されたコネクタケーブル９９１は、貫通孔６５を介して、ＬＥＤ基板９００からのコネクタケーブル９９２と接続される。また、パッキン９９５が貫通孔６５に嵌め込まれ、コネクタケーブル９９１の損傷を防止している。
【００１４】
（防水型電源装置８０）
図３に示すように、防水型電源装置８０は、カバー体１０００の外側であって、外部フレーム６０の上面中央にネジ８８で固定される。
防水型電源装置８０の表面には、防水型電源装置８０の仕様が記されたシール８９が貼付される。
防水型電源装置８０は、照明装置３００を固定するための吊りボルトに干渉しないように配置される。具体的には、防水型電源装置８０は、図８、図１１に示す吊りボルト９７Ｌとナット９７１Ｌ（又は吊りボルト９８Ｌとナット９８１Ｌ）と、図８において防水型電源装置８０の右側に位置する吊りボルトとナット（これらは図示していない）との間に配置する。これにより、照明装置３００をより薄くすることができる。つまり、防水型電源装置８０を吊りボルトとナットと干渉しない位置に配置することで照明装置３００をより薄くすることができる。
【００１５】
（光源フレーム８００（第１筐体、内部フレーム））
図４に示すように、光源フレーム８００は、長尺状をなし、照射側の面に光源素子７００が搭載されたＬＥＤ基板９００が取り付けられるフレームである。すなわち、光源フレームは、光源素子７００が配置されたフレームである。
本実施の形態において、光源素子７００は、例えば、パッケージ化された面実装タイプのＬＥＤ素子である。光源素子７００は、有機ＥＬ素子、半導体レーザ等の他の固体発光素子を用いることができる。
光源フレーム８００は、アルミニウム又はその他の金属材料を含む金属板である。
光源フレーム８００は、平坦な平板部８６２、平板部８６２の両側から長手方向に沿って上側方向に起立する側面部８６３を有する。光源フレーム８００の断面形状は、「コの字形状」である。側面部８６３の先端は、約１８０度、内側に折れ曲った反転部８６４があり、側面部８６３と反転部８６４とは、Ｕ字状又はヘアピン状の断面を有する。
光源フレーム８００には、左右に台座８８０が形成されている。台座８８０は、平板部８６２を打ち抜き加工して、凸状に形成したブリッジである。
台座８８０には、軸座金５２Ｌがネジ５３Ｌにより固定され、軸座金５２Ｒがネジ５３Ｒにより固定される。
光源フレーム８００は、ＬＥＤ基板９００に接続されたコネクタケーブル９９２を配置する。
【００１６】
（外部フレーム６０（第２筐体、電源装置用台座））
外部フレーム６０は、光源素子７００と反対側であって、カバー体１０００の外側に配置されている。
図４に示すように、外部フレーム６０は、長尺状をなし、カバー体１０００が取り付けられるフレームである。また、外部フレーム６０は、電源装置用台座である。
外部フレーム６０は、アルミニウム又はその他の金属板である。
外部フレーム６０は、平坦な平板部６２、平板部６２の両側から長手方向に沿って下側方向に起立する側面部６３を有する。
図１０に示すように、外部フレーム６０の断面形状は、「コの字形状」である。側面部６３の先端は、約９０度、内側に折れ曲っており、取付金具５０Ｌ，５０Ｒを収納する際の位置決めの機能を有する。外部フレーム６０は、貫通孔６５を有する。
外部フレーム６０は、左右に、凹み部６４を有する。凹み部６４は、平板部６２から窪んだ部分であり中央にネジ穴がある。凹み部６４は、ネジ９６０Ｌとネジ９６０Ｒで弾性体５１Ｌ、弾性体５１Ｒを取り付ける部分である。
【００１７】
（カバー体１０００）
カバー体１０００は、光源素子７００を覆うように光源フレーム８００の外側に配置されるカバーである
図４に示すように、カバー体１０００は、両端が開口した長尺状の中空体（筒体）である。カバー体１０００は、透光カバーであり、光源であるＬＥＤから発せられる光を透過するように透光性の材料で形成されている。
カバー体１０００は、例えばアクリル等の樹脂材料を用い、押し出し成型等の成形方法によって製造される。
図４に示すように、カバー体１０００には、長手方向おける左右に、円形の開孔２４Ｌと開孔２４Ｒとが形成されている。
開孔２４Ｌと開孔２４Ｒは、光源フレーム８００を基準として光源素子７００と反対側に形成されている。
開孔２４Ｌと開孔２４Ｒとは、弾性体５１Ｌと弾性体５１Ｒとが嵌めこまれる円形の貫通孔である。
カバー体１０００には、長手方向おける左右端に、開口１２Ｌと開口１２Ｒとが形成されている。
カバー体１０００は、幅手方向（短手方向）の中央部分が頂点となるように幅手方向端部にかけて肩下がりとなる傾斜面１５（図１０、図１８）を形成している。
【００１８】
（カバーパッキン２０Ｌ，２０Ｒ）
【００１９】
図１２（ａ）は、カバーパッキン２０Ｌの斜視図であり、図１２（ｂ）は、カバーパッキン２０Ｒの斜視図である。
図１３は、カバーパッキン２０Ｌの三面図であり、それぞれ（ａ）背面図、（ｂ）上面図、（ｃ）正面図である。
図１２の（ａ）と（ｂ）は、図３のカバーパッキン２０Ｌ、カバーパッキン２０Ｒを拡大した図である。本実施の形態では、左側のカバーパッキン２０Ｌ、右側のカバーパッキン２０Ｒは同じ構造形状のものが使用される。
図１２の（ｂ）に示すように、全周にわたって窪む窪み部２１Ｒが形成されている。窪み部２１Ｒにカバー体１０００の右側端部１１Ｒの先端が嵌る。
カバーパッキン２０Ｒは、ＬＥＤ基板９００を支持する鉤括弧状の支持部２３Ｒを有する。
【００２０】
図１８に示すように、窪み部２１Ｌは、カバー体１０００の外郭と内壁とに接するように取り付けられる。
図１８に示すように、カバーパッキン２０Ｌは、窪み部２１Ｌが「コの字形状」の枠体を形成し、「コの字形状」（窪み部２１Ｌ）の間にカバー体１０００の端部が入り込む構造である。このような構造によってカバーパッキン２０Ｌはカバー体１０００の開口１２Ｌを塞ぐ。
カバーパッキン２０Ｒも同様である。
【００２１】
図１２、図１３、図１８に示すように、カバーパッキン２０Ｌは、パッキンベース部２０Ｌ−２、パッキン壁形状部２０Ｌ−３を有する。
パッキンベース部２０Ｌ−２はベースとなる部分である。
パッキンベース部２０Ｌ−２は、パッキン壁形状部２０Ｌ−３以外の部分である。
パッキン壁形状部２０Ｌ−３は、パッキンベース部２０Ｌ−２の周縁から起立して周状の壁形状として形成される。
パッキン壁形状部２０Ｌ−３は、周状の内周側の形状がカバー体１０００の左側端部１１Ｌの外周形状に適合する形状をなし、カバー体１０００の左側端部１１Ｌが嵌め込まれる。
【００２２】
図１５に示すように、端部カバー３０Ｌは、カバーパッキン２０Ｌの一部に嵌る嵌合部３０Ｌ−１を有する。
端部カバー３０Ｌは、カバーパッキン２０Ｌをカバー体１０００の左側端部１１Ｌに押し当てるようにカバー体１０００に取り付けられる。
嵌合部３０Ｌ−１とは、端部カバー壁形状部３０Ｌ−３あるいは貫通孔３０Ｌ−４である。カバーパッキン２０Ｌは、端部カバー３０Ｌの嵌合部３０Ｌ−１と嵌り合う部品であり、かつ、遮光性材料で形成されて遮光性を持つ遮光部２０Ｌ−１を有する。
遮光部２０Ｌ−１とは、パッキン壁形状部２０Ｌ−３あるいは凸部２０Ｌ−４である。パッキン壁形状部２０Ｌ−３は、端部カバー壁形状部３０Ｌ−３と嵌り合い、凸部２０Ｌ−４は、貫通孔３０Ｌ−１−４と嵌り合う。
【００２３】
カバーパッキン２０Ｌは、遮光性材料を用いて形成される。カバーパッキン２０Ｌの全部が遮光性材料で形成されてもよいが、少なくとも遮光部２０Ｌ−１が、遮光性材料を用いて形成されればよい。
【００２４】
カバーパッキン２０Ｌの全体が遮光性材料で形成される場合は、カバーパッキン２０Ｌの全体が遮光部２０Ｌ−１となる。
【００２５】
（端部カバー３０Ｌ，３０Ｒ）
図１４の（ａ）と（ｂ）は、図４の端部カバー３０Ｌ、端部カバー３０Ｒを拡大した斜視図である。
図１５は、端部カバー３０Ｌ−１の六面図であり、それぞれ、（ａ）背面図、（ｂ）左側面図、（ｃ）上面図、（ｄ）右側面図、（ｅ）正面図、（ｆ）底面図である。（ｅ）の正面図では起立壁３２０Ｌを省略している。図１６は、端部カバー３０Ｌの中央断面図である。
本実施の形態では、左右の端部カバーは同じ構造形状のものが使用される。カバー体１０００端部カバー３０Ｒは、カバーパッキン２０Ｒを収納する収納部３１Ｒ（第二の収納部）を有し、収納部３１Ｒによってカバーパッキン２０Ｒとともにカバー体１０００の開口１２Ｒを塞ぐ。
図示しないが、同様に、端部カバー３０Ｌは、カバーパッキン２０Ｌを収納する収納部３１Ｌ（第一の収納部）を有し、収納部３１Ｌによってカバーパッキン２０Ｌとともにカバー体１０００の開口１２Ｌを塞ぐ。
【００２６】
図１４、図１５に示すように、端部カバー３０Ｌは、端部カバーベース部３０Ｌ−２、端部カバー壁形状部３０Ｌ−３を有する。端部カバーベース部３０Ｌ−２はベースとなる部分である。
端部カバー壁形状部３０Ｌ−３は、端部カバーベース部３０Ｌ−２の周縁から起立して周状の壁形状として形成され、周状の内周側の形状がパッキン壁形状部２０Ｌ−３の外周側の形状に適合する形状をなし、パッキン壁形状部２０Ｌ−３が嵌る。
【００２７】
端部カバー壁形状部３０Ｌ−３は、嵌合部３０Ｌ−１であり、パッキン壁形状部２０Ｌ−３は、遮光部２０Ｌ−１である。
【００２８】
端部カバーベース部３０Ｌ−２には、貫通孔３０Ｌ−４が形成されている。また、パッキンベース部２０Ｌ−２は、貫通孔３０Ｌ−４に嵌る凸形状をなし、電線が通過する通線孔２２Ｌが内部に形成された凸部２０Ｌ−４を有する。
【００２９】
貫通孔３０Ｌ−４は、嵌合部３０Ｌ−１であり、凸部２０Ｌ−４は、遮光部２０Ｌ−１である。
【００３０】
図１４，図１６は、端部カバー３０Ｒ，端部カバー３０Ｌの筒状ガイド３９０Ｒ，３９０Ｌを示している。
図１６に示すように、端部カバー３０Ｌは、照明器具２００に取り付けられた状態で底となる底部３１０Ｌと、矢印３１４Ｌで示す方向における底部３１０Ｌの端部３１５Ｌから上方に起立し、起立し始める箇所に（円形を含む）略円形の排水孔３８Ｌが形成された起立壁３２０Ｌを備えている。
底部３１０Ｌは、ネジ貫通孔３４Ｌの周縁３４１Ｌからネジ９６Ｌが通過する方向（矢印Ｚ方向）に筒状に起立する筒状ガイド３９０Ｌを有する貫通孔形成部である。端部カバー３０Ｌでは筒状のねじガイドである筒状ガイド３９０Ｌがネジ貫通孔３４Ｌを取り囲んでいる。
端部カバー３０Ｌの底部３１０Ｌの底部表面３１１Ｌは、排水孔３８Ｌに向かって下る傾斜を有する。
図２に示すように、光源ユニット１００は、ネジ９６Ｌ，ネジ９６Ｒを用いて照明器具２００に取り付けられるが、端部カバー３０Ｌではネジ貫通孔３４Ｌの周囲を筒状ガイド３９０Ｌで囲っているのでネジ９６Ｌが筒状ガイド３９０Ｌの内部から外側へ出ることがない。すなわち、光源ユニット１００を照明器具２００に取り付ける時に、ネジ９６Ｌが端部カバー３０Ｌの内部に落下するおそれがなくなる。
端部カバー３０Ｒ（第二の端部カバー）及びネジ９６Ｒについても同様である。
【００３１】
図１４に示すように、筒状ガイド３９０Ｌ，３９０Ｒには、筒形状の側面の縦方向（矢印Ｚ方向）にスリット３９１Ｌ，スリット３９１Ｒが形成されている。スリット３９１Ｌは、排水孔３８Ｌに面する側面に形成されている。
筒状ガイド３９０Ｌにスリット３９１Ｌを設けたことにより、筒状ガイド３９０Ｌの内側の底部３１０Ｌの水（液体）を筒状ガイド３９０Ｌの内側に留めることなく排水孔３８Ｌに排出できる。
端部カバー３０Ｒ（第二の端部カバー）についても同様である。
【００３２】
また、図１４に示すように、端部カバー３０Ｒ，端部カバー３０Ｌには、ハーネス９９０を挟んで支持するハーネス支持部３８０Ｒ，ハーネス支持部３８０Ｌが設けられている。
ハーネス支持部３８０Ｒ，ハーネス支持部３８０Ｌは、２枚の壁部で形成される凹み部によって、電源装置からＬＥＤ基板９００に実装されたＬＥＤ（図示しない）へ電力を供給するために設けられるハーネス９９０を挟むように支持する構成である。
なお、ハーネス支持部３８０Ｒ，ハーネス支持部３８０Ｌの形状は図示した形状に限定されない。
【００３３】
このように、端部カバー３０Ｒ，端部カバー３０Ｌに形成された筒状ガイド３９０Ｌ，３９０Ｒは、照明装置３００を組み立てる時に端部カバー３０Ｒ，端部カバー３０Ｌの内部にネジ９６Ｌ，ネジ９６Ｒが落下するおそれをなくして施工性を向上させる効果を有する。さらに、筒状ガイド３９０Ｌ，３９０Ｒは、キャップ９０Ｌ，キャップ９０Ｒが装着されるネジ貫通孔３４Ｌ，ネジ貫通孔３４Ｒからの水（液体）の浸入に対して高い水密性を確保する効果を有する。
【００３４】
次に、端部カバー３０Ｌの排水孔３８Ｌについて説明する。
排水孔３８Ｌの開口は排水性を向上させた面積を有する。開口形状は任意であるが縦横比が１に近い方が好ましい。排水孔３８Ｌの開口形状が蒲鉾形状であってもよい。
このような形状にすることによって、端部カバー３０Ｌの内側の水（液体）を効果的に排水させることができる。
端部カバー３０Ｒ（第二の端部カバー）についても同様である。
【００３５】
次に、端部カバー３０Ｌの底部３１０Ｌの底部表面３１１Ｌが排水孔３８Ｌに向かって下る傾斜を有することを説明する。
図１６に示すように、底部３１０Ｌの底部表面３１１Ｌ（表面）は、光源ユニット１００が照明器具２００に取付けられた状態において、排水孔３８Ｌに向かって矢印３１４Ｌで示す方向に下り勾配となる下り勾配領域３１６Ｌを有する。
図１６に示すように、底部表面３１１Ｌには、排水孔３８Ｌに向う排水勾配３１２Ｌを設ける（実線矢印の向き）。排水勾配３１２Ｌは、光源ユニット１００を水平に、下方照射させる姿勢としたときに、端部カバー３０Ｌにおいて、図１６の底部表面３１１Ｌが概ね１度の傾斜角度で排水孔３８Ｌの向きに下る勾配である。傾斜角度は、排水性と成形性を考慮して決定される。
図２０を参照して排水性を説明する。図２０では、中央における排水勾配３１２Ｌを破線矢印で示しているが、下り勾配領域３１６Ｌでは排水勾配３１２Ｌの矢印の方に向かって低くなるので底部表面３１１Ｌの水は排水孔３８Ｌに向かい、排水孔３８Ｌから排出される。端部カバー３０Ｒ（第二の端部カバー）についても同様である。
【００３６】
（取付金具５０Ｌ，５０Ｒ）
次に、取付金具５０Ｌ，５０Ｒを説明する。本実施の形態では、取付金具５０Ｒは取付金具５０Ｌと同じ構造形状であるので、取付金具５０Ｌについて説明し、取付金具５０Ｒの説明は省略する。
図１７に示すように、取付金具５０Ｌは、外部フレーム６０の下面側に重ねられる平板部５０３Ｌと、平板部５０３Ｌの両側から長手方向に沿って起立する側面部５０４Ｌと、平板部５０３Ｌの左側端部でＬ字形状に形成された腕部５０８Ｌとを有する。
【００３７】
図１７の取付金具５０Ｌは、Ｌ字の腕部５０８Ｌの水平部５０２Ｌの両側の側端部が折り曲げて形成された側面部５１１Ｌ，側面部５１２Ｌを有する。
図１７の平板部５０３Ｌの形状は他の形状でも構わない。
【００３８】
水平部５０２Ｌの中央には、ネジ９６Ｌが貫通するネジ孔５０５Ｌがあり、水平部５０２Ｌが照明器具２００に固定される。
図４に示すように、平板部５０３Ｌと外部フレーム６０の端部とには、ネジ９４Ｌが貫通するネジ孔５０６Ｌとネジ孔５０７Ｌとがあり、平板部５０３Ｌがネジ９４Ｌにより外部フレーム６０の端部に固定される。
【００３９】
取付金具５０Ｌは、外部フレーム６０とカバー体１０００とに挟まれることにより光源ユニット１００に取り付けられる（図１８）。
図１８のＥ−Ｅ断面を示す図１９のように、取付金具５０Ｌは、側面部５１１Ｌ，側面部５１２Ｌの先端５１３Ｌ，先端５１４Ｌ（端部）が端部カバー３０Ｌの外郭３３０Ｌの内側となる内壁３３１Ｌを押し付けるように取り付けられる。
側面部５１１Ｌ，側面部５１２Ｌの先端５１３Ｌ，先端５１４Ｌは、光源ユニット１００が照明器具２００に取付けられた状態（照明装置３００が使用される状態）において、端部カバー３０Ｌの内側（内壁）に当接する。
したがって、端部カバー３０Ｌのガタツキが抑制される。またガタツキが抑制されるので、水密性（止水性）も向上する。
取付金具５０Ｒ及び端部カバー３０Ｒについても同様である。
【００４０】
図２１に示す取付金具５０Ｌ−１は、図１７に示す取付金具５０Ｌに対して、Ｌ字の腕部５０８Ｌのうち、水平部５３１Ｌ（平板部）に、光源ユニット１００の側へ落ち込んでへこんでいる凹み形状の凹み部５３２Ｌが形成されている。凹み部５３２Ｌの凹み形状の領域にネジ９６Ｌが貫通する貫通孔５３３Ｌが形成されている。ネジ９６Ｌは、光源ユニット１００を照明器具２００に取付けるために用いる。
【００４１】
図２２は組み立て後の断面図である。
図２２に示すように、照明器具２００は、器具側貫通孔２１０が形成された器具側平板部２３０を有する。器具側平板部２３０に取付金具５０Ｌ−１が取り付けられる。
図２２に示すように、器具側平板部２３０の下に水平部５３１Ｌが位置し、凹み部５３２Ｌの凹みに抜け止めワッシャー５４２Ｌが配置され、凹み部５３２Ｌを挟んで抜け止めワッシャー５４２Ｌの下側（反対側）にワッシャー５４１Ｌが配置される。
ネジ９６Ｌは、ネジ溝が形成されたネジ軸９６２Ｌと、ネジ頭９６１Ｌとを有する。ネジ９６Ｌのネジ軸９６２Ｌがワッシャー５４１Ｌ、貫通孔５３３Ｌ、抜け止めワッシャー５４２Ｌ、器具側貫通孔２１０を介して、器具側ナット２２０（相手部品）にねじ込まれる。
その結果、ネジ頭９６１Ｌの下面がワッシャー５４１Ｌを押し付け、取付金具５０Ｌ−２の水平部５３１Ｌが照明器具２００の器具側平板部２３０に押し付けられる。
凹み部５３２Ｌは、抜け止めワッシャー５４２Ｌが収納される形状であれば、形状は任意である。
また、凹み部５３２Ｌの凹み深さ寸法Ｈは、抜け止めワッシャー５４２Ｌの厚さ寸法Ｂに応じて決定する。例えば、抜け止めワッシャー５４２Ｌの厚さ寸法Ｂが１ｍｍであれば、凹み深さ寸法Ｈは、１ｍｍ、又は１ｍｍより若干大きい方が好ましい。その理由は、水平部５３１Ｌの上面と器具側平板部２３０の下面とが隙間なく広く密着し、強く密着されるからである。
【００４２】
（防水型電源装置８０）
図４に示すように、外部フレーム６０の平板部６２の上側には防水型電源装置８０が取り付けられる。
図２５は、防水型電源装置８０の分解斜視図である。防水型電源装置８０は、電源装置用ケース本体８１、パッキン８２−１（第一の電源装置用ケースパッキン）、パッキン８２−２（第二の電源装置用ケースパッキン）、パッキン固定具８３−１（第一の固定具）、パッキン固定具８３−２（第二の固定具）を備えている。
電源装置用ケース本体８１は、両端が開口する中空体であり、ＬＥＤに電力を供給する電源装置（図示していない）を収納する。
パッキン８２−１は、電源装置用ケース本体８１の一方の開口を塞ぎ、パッキン８２−２は、電源装置用ケース本体８１の他方の開口を塞ぐ。
パッキン固定具８３−１は、パッキン８２−１を固定し、パッキン固定具８３−２は、パッキン８２−２を固定する。
パッキン固定具８３−１は、ネジ８４によって、電源装置用ケース本体８１の両側に設けられたネジ孔８５に締め込まれることで、パッキン８２−１を電源装置用ケース本体８１に固定する。
図２６は、パッキン固定具８３−１の寸法Ａ、パッキン８２−１の外側寸法Ｂ、パッキン８２−１の内側寸法Ｃ、電源装置用ケース本体８１の内部寸法Ｄを模式的に示す。
図２６において、Ａ＞Ｂ、Ｃ＜Ｄかつ（Ａ−Ｂ）−（Ｄ−Ｃ）＞０の関係である。
図２６においてＡ〜Ｄに対応する奥行き方向（短手方向）の寸法をａ、ｂ、ｃ、ｄとした場合、奥行き方向も、ａ＞ｂ、ｃ＜ｄかつ（ａ−ｂ）−（ｄ−ｃ）＞０の関係である。
つまり、パッキン固定具８３−１を縦Ａ（ｍｍ）、横ａ（ｍｍ）の矩形、パッキン８２−１の外側を縦Ｂ（ｍｍ）、横ｂ（ｍｍ）の矩形、パッキン８２−１の内側（電源装置用ケース本体８１側）を縦Ｃ（ｍｍ）、横ｃ（ｍｍ）の矩形、電源装置用ケース本体８１の開口を縦Ｄ（ｍｍ）、横ｄ（ｍｍ）の矩形と想定した場合、奥行き方向も、ａ＞ｂ、ｃ＜ｄかつ（ａ−ｂ）−（ｄ−ｃ）＞０の関係である。
パッキン固定具８３−２側も同様である。
このような寸法Ａ〜寸法Ｄ及び寸法ａ〜寸法ｄの関係を設定すると、パッキン８２−１、８２−２を電源装置用ケース本体８１の端部に押し当てることによって得られる防水性能に加えて、さらに高い防水性（水密性）を得ることができる。
【００４３】
（キャップ９０Ｌ，９０Ｒ）
図２に示すように、ネジ９６Ｌが貫通する端部カバー３０Ｌのネジ貫通孔３４Ｌは、キャップ９０Ｌを取り付けることによって蓋がされる。これにより意匠性を向上させる。
キャップ９０Ｒも同様の作用効果を有するものである。
【００４４】
（軸座金５２Ｌ，５２Ｒ）
図１０に示すように、軸座金５２Ｌは、ネジ５３Ｌで台座８８０に固定される。
図２３に示すように、軸座金５２Ｌは、座板５２０Ｌと軸部５２２Ｌとを有する。
座板５２０Ｌは、矩形の板状であり、両サイドに、羽根状に形成された座羽５２１Ｌを有する。
図１８に示すように、反転部８６４の座羽５２１Ｌに対応する部分にはカット部８６５がある。カット部８６５は、座羽５２１Ｌを収納する切欠きである。
軸部５２２Ｌは、座板５２０Ｌから直立した円柱である。座板５２０Ｌの端部には、ネジ９６０Ｌをネジ止めするネジ穴がある。
軸座金５２Ｌとネジ５３Ｌとネジ９６０Ｌとは、外部フレーム６０と光源フレーム８００とを締結する締結部品ある。特に、軸座金５２Ｌの軸部５２２Ｌが外部フレーム６０と光源フレーム８００の間に配置された締結部材５００である。
軸座金５２Ｒも同様である。
【００４５】
（弾性体５１Ｌ，５１Ｒ）
図１８、図２３、図２４に示すように、弾性体５１Ｌは、筒状又は円筒形の締結パッキンである。
弾性体５１Ｌは、筒軸を中心にした回転対称の筒体である。
弾性体５１Ｌは、締結部材５００と開孔２４Ｌの縁部とに密着した状態で締結部材５００と開孔２４Ｌの縁部との間に弾性変形可能に配置されている。
弾性体５１Ｌは、締結部材５００及びカバー体１０００よりも硬度が低い弾性材料でできている。弾性材料として、ウレタン、ゴム、プラスチック、シリコン、又は、これらを含む樹脂材料が好適である。
弾性体５１Ｌは、外環部５１０３と中環部５１１０と内環部５１０４との３重環構造を有する。
中環部５１１０と内環部５１０４とを合わせて、挿抜部５１０９という。挿抜部５１０９とは、外環部５１０３に挿抜される部分をいう。
外環部５１０３と中環部５１１０と内環部５１０４とは、それぞれ帯状の環状体である。
【００４６】
（外環部５１０３）
外環部５１０３は、円筒形をしている。
外環部５１０３の外周面は、弾性体５１Ｌの外周部となる。
外環部５１０３は、半径方向に厚肉である。
外環部５１０３の上下中央には、環状溝５１０２が形成されている。環状溝５１０２は、開孔２４Ｌを挟み込む環状の凹溝である。
環状溝５１０２を形成している溝上側面の半径方向の長さは、溝下側面の半径方向の長さより長い。すなわち、環状溝５１０２を形成している外環部５１０３の下部の半径は、環状溝５１０２を形成している外環部５１０３の上部の半径より小さい。また、外環部５１０３の下部には、環状のテーパ面が形成されている。このため、弾性体５１Ｌは、外環部５１０３の下部から、開孔２４Ｌに嵌め込みやすくなっている。
【００４７】
（内環部５１０４）
挿抜部５１０９の内環部５１０４は、円筒形をしている。
内環部５１０４の内周面は、弾性体５１Ｌの内周部となる。
内環部５１０４は、軸座金５２Ｌの軸部５２２Ｌを貫通させる軸貫通孔を形成している。
内環部５１０４の軸貫通孔の内周面には、内襞５１０５が環状かつ帯状に複数形成されている。
【００４８】
（中環部５１１０）
外環部５１０３と内環部５１０４との間に中環部５１１０が配置されている。
中環部５１１０は、半径方向に薄肉である。
中環部５１１０は、上下方向において均一な厚さを有している。
中環部５１１０の下端は内環部５１０４の下端と連続しており、中環部５１１０の下端と内環部５１０４の下端とでＵ字状の第１の屈曲部５１０６を形成している。
中環部５１１０の上端は外環部５１０３の上端と連続しており、中環部５１１０の上端と外環部５１０３の上端とでＵ字状の第２の屈曲部５１０７を形成している。
【００４９】
（弾性体５１Ｌ，５１Ｒの寸法）
寸法関係は以下のとおりである。
内襞５１０５の内径は、軸部５２２Ｌの外径より小さい。ただし、内襞５１０５の内側に軸部５２２Ｌを圧入することができる程度に小さい。
内環部５１０４の外径は、中環部５１１０の内径より小さい。内環部５１０４と中環部５１１０との間には、第１の隙間５１００がある。第１の隙間５１００が存在するため、中環部５１１０と内環部５１０４とは、第１の隙間５１００を挟んで離間しており、内環部５１０４は、中環部５１１０の内側で３６０度方向に移動することができる。
中環部５１１０の外径は、外環部５１０３の内径より小さい。中環部５１１０と外環部５１０３との間には、第２の隙間５１０１がある。第２の隙間５１０１が存在するため、中環部５１１０と外環部５１０３とは、第２の隙間５１０１を挟んで離間しており、中環部５１１０は、外環部５１０３の内側で３６０度方向に移動することができる。
外環部５１０３の外径は、内環部５１０４の外径の３倍である。
外環部５１０３の半径方向の最大厚さは、内環部５１０４の半径方向の厚さの４倍である
外環部５１０３の外径は、中環部５１１０の外径の２倍である。
外環部５１０３の半径方向の最大厚さは、中環部５１１０の半径方向の厚さの８倍である
外環部５１０３の外径は、弾性体５１Ｌの高さの２．５倍である。
弾性体５１Ｌの高さは、外環部５１０３の高さの１．６倍である。
【００５０】
図１８に示すように、弾性体５１Ｌの内環部５１０４は、中央に軸部５２２Ｌがはめ込まれ、ネジ９６０Ｌでネジ止めされることにより、外部フレーム６０と光源フレーム８００との間に固定される。
弾性体５１Ｌの環状溝５１０２は、カバー体１０００に嵌めこまれることにより、カバー体１０００を保持する。
このように、弾性体５１Ｌは、締結部材５００と開孔２４Ｌの縁部との間に配置された状態で、筒形の内環部５１０４の内周部が締結部材５００と、内環部５１０４と対向した外環部５１０３の外周部が開孔２４Ｌの縁部と、それぞれ密着している。
弾性体５１Ｌは、筒形の周部が複数回折り曲げられた状態で締結部材５００と開孔２４Ｌの縁部との間に配置されている。
第１の隙間５１００と第２の隙間５１０１が存在するため、内環部５１０４は外環部５１０３の内側で３６０度方向に移動することができる。内環部５１０４は外環部５１０３の内側で３６０度方向に移動できるので、カバー体１０００は、外部フレーム６０と光源フレーム８００とに対して３６０度方向に移動できることになる。
【００５１】
＊＊＊効果の説明＊＊＊
（熱膨張の膨張量の差の吸収）
図２７に示すように、照明装置３００が組み立てられた状態で使用環境温度が上昇すると、光源フレーム８００、外部フレーム６０、カバー体１０００が長手方向に膨張する。また、カバー体１０００は吸湿によっても膨張する。
カバー体１０００がアクリル製で、光源フレーム８００と外部フレーム６０とがアルミニウム製であり、カバー体１０００の全長が１．２ｍ程度の場合、想定される使用環境条件（温度、湿度）の変化に伴って、カバー体１０００は光源フレーム８００および外部フレーム６０よりも長手方向に最大で６ｍｍ程度大きく膨張又は収縮する。
カバー体１０００は、左右２個の弾性体５１Ｌ、弾性体５１Ｒで止められるので、カバー体１０００の中央を基準とする長手方向の左右の膨張量（あるいは収縮量）はそれぞれ最大で約３ｍｍ程度である。なお、実使用環境を考慮した場合、カバー体１０００は吸湿の要因が加わる膨張量は収縮量よりも大きい。
この３ｍｍの膨張（あるいは収縮）を弾性体５１Ｌ、弾性体５１Ｒの第１の屈曲部５１０６と第２の屈曲部５１０７とが変形して吸収する。
【００５２】
（弾性体５１Ｌ、弾性体５１Ｒによる水平方向の差の吸収）
図２７に示すカバー体１０００の膨張時は、ネジ９６Ｌとネジ９６Ｒとの間隔を間隔Ｓ０とすると、カバー体１０００の開孔２４Ｌの中心と開孔２４Ｒの中心との間隔Ｓ１は、間隔Ｓ０より大きくなる。
Ｓ１＞Ｓ０
第１の隙間５１００の半径方向の隙間間隔をＫ１とし、第２の隙間５１０１の半径方向の隙間間隔をＫ２とすると、
隙間間隔Ｋ１＋隙間間隔Ｋ２＞（間隔Ｓ１−間隔Ｓ０）
となるように、隙間間隔Ｋ１と隙間間隔Ｋ２を形成しておけばよい。
左右２個の弾性体５１Ｌ、弾性体５１Ｒで、間隔Ｓ１と間隔Ｓ０の差分を半分ずつ吸収すると考えれば、
隙間間隔Ｋ１＋隙間間隔Ｋ２＞（間隔Ｓ１−間隔Ｓ０）／２
としてもよい。
【００５３】
図２８に示すカバー体１０００の収縮時は、ネジ９６Ｌとネジ９６Ｒとの間隔を間隔Ｓ０とすると、カバー体１０００の開孔２４Ｌの中心と開孔２４Ｒの中心との間隔Ｓ２は、間隔Ｓ０より小さくなる。
Ｓ２＜Ｓ０
第１の隙間５１００の半径方向の隙間間隔をＫ１とし、第２の隙間５１０１の半径方向の隙間間隔をＫ２とすると、
隙間間隔Ｋ１＋隙間間隔Ｋ２＞（間隔Ｓ０−間隔Ｓ２）
となるように、隙間間隔Ｋ１と隙間間隔Ｋ２を形成しておけばよい。
左右２個の弾性体５１Ｌ、弾性体５１Ｒで、間隔Ｓ０と間隔Ｓ２の差分を半分ずつ吸収すると考えれば、
隙間間隔Ｋ１＋隙間間隔Ｋ２＞（間隔Ｓ０−間隔Ｓ２）／２
としてもよい。
【００５４】
上述した通り、実使用環境を考慮した場合、カバー体１０００は吸湿の要因が加わる膨張量は収縮量よりも大きいので、間隔Ｓ０とカバー体１０００の膨張時における間隔Ｓ１との間隔差は、間隔Ｓ０とカバー体１０００の収縮時における間隔Ｓ２との間隔差より大きい。
｜Ｓ１−Ｓ０｜＞｜Ｓ０−Ｓ２｜
【００５５】
（カバーパッキン２０Ｌ，カバーパッキン２０Ｒによる長手方向の差の吸収）
図１８に示すように、カバー体１０００の端部とカバーパッキン２０Ｒの窪み部２１Ｌとの間にも、隙間間隔Ｋ３のスペースがある。すなわち、カバー体１０００の端部は、窪み部２１Ｌの奥底まで差し込まれているのではなく、隙間間隔Ｋ３の空間を残している。  隙間間隔Ｋ３＞（間隔Ｓ１−間隔Ｓ０）、又は、
隙間間隔Ｋ３＞（間隔Ｓ１−間隔Ｓ０）／２
とすることで、カバー体１０００の膨張を吸収することができる。
【００５６】
また、カバー体１０００の端部の窪み部２１Ｌへの差し込み長さを挿入長Ｋ４とすると、
挿入長Ｋ４＞（間隔Ｓ０−間隔Ｓ２）、又は、
挿入長Ｋ４＞（間隔Ｓ０−間隔Ｓ２）／２
とすることで、カバー体１０００の収縮を吸収することができる。
窪み部２１Ｌの深さは、隙間間隔Ｋ３と挿入長Ｋ４とを合わせた長さより長ければよい。
窪み部２１Ｌの深さ＞隙間間隔Ｋ３＋挿入長Ｋ４
以上のように、カバー体１０００は、締結部材５００を基準として、弾性体５１Ｌの筒軸と交差する方向に相対的な位置変位が可能である。
【００５７】
（弾性体５１Ｌ、弾性体５１Ｒによる垂直方向の差の吸収）
弾性体５１Ｌ、弾性体５１Ｒとは、中環部５１１０を介して、上下に伸張可能である。ここで伸張可能とは、外環部５１０３と内環部５１０４との上下の相対的位置が変更可能であるという意味である。
外環部５１０３と内環部５１０４との上下の相対的位置変更は、第１の屈曲部５１０６と第２の屈曲部５１０７とが屈曲位置を移動させることで実現できる。
したがって、外環部５１０３は内環部５１０４に対して上下方向に位置を変更することができ、カバー体１０００は、締結部材５００を基準として、弾性体５１Ｌの筒軸の方向に相対的な位置変位が可能である。
【００５８】
（弾性体５１Ｌ、弾性体５１Ｒによる振動又は衝撃吸収）
また、光源ユニット１００が輸送される際、照明装置３００が使用される際等には、外部から振動又は衝撃が加わることがある。第１の隙間５１００と第２の隙間５１０１による隙間間隔Ｋ１と隙間間隔Ｋ２とが存在していれば、カバー体１０００への振動又は衝撃を吸収することができ、カバー体１０００への衝撃によるカバー体１０００の破壊を防止することができる。
カバー体１０００の左右端部は端部カバー３０Ｌと端部カバー３０Ｒで保護されている。
カバー体１０００の短手方向又は上下方向への振動又は衝撃が加わった場合は、第１の隙間５１００と第２の隙間５１０１とがクッションの機能を奏することにより、カバー体１０００へのショックを和らげることができる。
【００５９】
以上のように、外環部５１０３は、カバー体１０００に固定されており、内環部５１０４は、締結部材５００に固定されており、外環部５１０３は、中環部５１１０を介して内環部５１０４に対して相対的に位置変異が可能である。
ここで、相対的な位置変異とは、長手方向と短手方向を含む３６０度の水平方向の移動による位置変更と、上下方向の移動による位置変更と、水平方向の移動と上下方向の移動とを組み合わせた斜め方向の移動による位置変更のいずれでもよい。斜め方向の相対的な位置変位（移動）として、例えば、カバー体１０００の長尺方向における反り、長手方向を基準とした捻じれ等が含まれる。
このように、外環部５１０３が内環部５１０４に対して相対的に位置を移動させることにより、カバー体１０００が光源フレーム８００と外部フレーム６０とに対して相対的な位置変位が可能である。
また、弾性体５１Ｌの内周部が締結部材５００の軸部５２２Ｌと密着し、弾性体５１Ｌの外周部が開孔２４Ｌの縁部と、それぞれ密着しているので、防水効果（止水効果）を奏する。そして、カバー体１０００が光源フレーム８００と外部フレーム６０とに対して相対的に位置変位しても防水効果（止水効果）が維持される。
本実施の形態によれば、簡易な構成によって、光源ユニット１００の使用環境の温度又は湿度に対応して発生する部品の相対変位を吸収することができる。特に、膨張量（収縮量）が異なる部材間の相対変位をストレスフリーに吸収することができる。
【００６０】
本実施の形態の特徴的構成は以下のとおりである。
筒状の断面を有する樹脂製透光カバー体１０００の内部に、ＬＥＤ基板が実装された金属製光源フレーム８００が設けられている。
樹脂製透光カバー体１０００の外側に照明器具２００と一体化させるための金属製外部フレーム６０が設けられている。
金属製光源フレーム８００と金属製外部フレーム６０とは樹脂製透光カバー体１０００の２箇所以上に開口された貫通孔である開孔２４Ｌ，２４Ｒを貫通する金属製軸部５２２Ｌ，５２２Ｒによって固定されている。金属製軸部５２２Ｌ，５２２Ｒは、金属製のシャフトであり、金属製光源フレーム８００と金属製外部フレーム６０とを締結する締結部材５００である。
樹脂製透光カバー体１０００の開孔２４Ｌ，２４Ｒの部分と金属製軸部５２２Ｌ，５２２Ｒとの間での防浸水性を確保するため、樹脂製透光カバー体１０００の開孔２４Ｌ，２４Ｒの部分と金属製軸部５２２Ｌ，５２２Ｒとの間に締結パッキンとなる弾性体５１Ｌ，５１Ｒを配置している。
弾性体５１Ｌ，５１Ｒは変位自在な防浸水性パッキンであり、金属製軸部５２２Ｌ，５２２Ｒとの間で樹脂製透光カバー体１０００の熱及び湿度による伸縮を吸収する。
【００６１】
本実施の形態の特徴的構成と効果は以下のとおりである。
金属製光源フレーム８００と金属製外部フレーム６０とを金属製の軸部５２２Ｌ，５２２Ｒで導通させることができる。
樹脂製の透光カバー体１０００は、金属に比較して経年変化、強度低下を起こしやすいが、樹脂製の透光カバー体１０００を直接金属で保持しないので残留応力が大幅に抑制され、樹脂部材の破損を起因・要因とする部品の落下の可能性が極めて低下する。
樹脂製透光カバー体１０００と金属製軸部５２２Ｌ，５２２Ｒとを弾性体５１Ｌ，５１Ｒで変位自在に留めているので、きしみ音が発生しない。
外観意匠に影響がない程度に、樹脂製透光カバー体１０００の成形精度を緩和することができ、弾性体５１Ｌ，５１Ｒによって緩和された成形精度を調整できるので、樹脂製透光カバー体１０００及び光源ユニット１００の製造コストが抑制される。
【００６２】
＊＊＊製造方法の説明＊＊＊
図２３、図２４、図２９を参照して光源ユニット１００の組み立てについて説明する。カバー体１０００の内部には、光源であるＬＥＤ（図示しない）が実装されたＬＥＤ基板９００が取り付けられた光源フレーム８００が収納される。以下、左側端部１１Ｌを例にして説明する。
まず、図２９の（ａ）に示す光源ユニット１００の製造方法を説明する。
【００６３】
ステップＳ１：準備工程
ステップＳ１は、準備工程である。
図２３の（ａ）、図２４の（ａ）の状態の弾性体５１Ｌから、矢印Ｐ１の方向に、挿抜部５１０９を手で引き出す。すなわち、変形可能な弾性パッキンの挿抜部５１０９を引き出す。
弾性体５１Ｌは、図２３の（ａ）、図２４の（ａ）の状態から図２３の（ｂ）、図２４の（ｂ）の状態に変化する。外環部５１０３の内部には、円筒空間５１０８ができる。
弾性体５１Ｒも同様である。
【００６４】
ステップＳ２：装着工程
ステップＳ２は、弾性体５１Ｌをカバー体１０００の開孔２４Ｌに装着する装着工程である。
弾性体５１Ｌを、図２４の（ｃ）の矢印Ｐ２の方向に手で押しつぶして弾性体５１Ｌを変形させる。円筒空間５１０８がつぶされた状態となる。
弾性体５１Ｌをつぶしたまま、図２３の（ｃ）の矢印Ｐ３の方向に近づけ、弾性体５１Ｌを図２４の（ｃ）のように斜めに傾斜させながら、弾性体５１Ｌをカバー体１０００の開孔２４Ｌに嵌め込む。
図２４の（ｄ）のように、嵌め込み後は、外環部５１０３の内部には、円筒空間５１０８ができる。挿抜部５１０９は、外環部５１０３の上部に出したままにしておく。
弾性体５１Ｒも同様である。
【００６５】
ステップＳ３：配置工程
ステップＳ３は、光源フレーム８００をカバー体１０００に配置する配置工程である。
軸座金５２Ｌをネジ５３Ｌで台座８８０に固定する。
軸座金５２Ｒも同様にネジ５３Ｒで台座８８０に固定する。
次に、光源フレーム８００をカバー体１０００の一方の端部から挿入する。
【００６６】
ステップＳ４：貫通工程
ステップＳ４は、弾性体５１Ｌに締結部材５００を貫通させる貫通工程である。
図２３の（ｄ）の矢印Ｐ４の方向に、挿抜部５１０９を外環部５１０３に押し込んで、図２３の（ｅ）、図２４の（ｅ）のようにする。この状態で、内環部５１０４に軸座金５２Ｌの軸部５２２Ｌが圧入され、内環部５１０４が、軸座金５２Ｌの軸部５２２Ｌを被包する。弾性体５１Ｌは、２回折り曲げられた状態となる。
弾性体５１Ｒも同様である。
【００６７】
ステップＳ５：締結工程
ステップＳ５は、光源フレーム８００と外部フレーム６０とを弾性体５１Ｌを貫通する締結部材５００を用いて締結する締結工程である。
図２３の（ｆ）の矢印Ｐ５の方向に、外部フレーム６０の凹み部６４からネジ９６０Ｌを挿入して、軸部５２２Ｌにねじ込み、外部フレーム６０を軸部５５２Ｌに固定する。
弾性体５１Ｌの内周部が締結部材５００の軸部５２２Ｌと密着し、弾性体５１Ｌの外周部が開孔２４Ｌの縁部と、それぞれ密着する。
この状態で、外部フレーム６０と光源フレーム８００との固定が終了し、弾性体５１Ｌは、外部フレーム６０と光源フレーム８００との間に固定されたことになる。
弾性体５１Ｒも同様である。
【００６８】
ステップＳ６：端部処理工程
ステップＳ６は、カバー体１０００の端部を処理する端部処理工程である。
カバー体１０００に光源フレーム８００が収納された状態で、カバー体１０００の開口１２Ｌを塞ぐカバーパッキン２０Ｌを取り付ける。
次に、カバーパッキン２０Ｌを覆うように、端部カバー３０Ｌを、カバー体１０００に取り付ける。
【００６９】
ステップＳ７：器具取付工程
ステップＳ７は、照明器具２００を取り付ける器具取付工程である。
次に、左側端部１１Ｌの上面側に、カバー体１０００を照明器具２００に取り付けるための取付金具５０Ｌが被せられる。右側端部１１Ｒも同様である。
次に、取付金具５０Ｌ，５０Ｒが、ネジ９６Ｌ，９６Ｒによって照明器具２００に取り付けられることで、光源ユニット１００が照明器具２００に取り付けられる。
【００７０】
図２９の（ｂ）に示すように、光源ユニット１００の製造方法は、前述したステップ３をステップ１，２の前に実施してもよい。
図示しないが、前述したステップ６をステップ４，５の前に実施してもよい。
なお、上記で述べた組み立ての順序は例であり、これ以外の順序でもよい。
【００７１】
実施の形態２．
この実施の形態では、実施の形態１と異なる点について説明する。
（軸部５２２Ｌ、軸部５２２Ｒ）
軸部５２２Ｌ、軸部５２２Ｒを軸座金５２Ｌ、軸座金５２Ｒに設けるのではなく、軸部５２２Ｌ、軸部５２２Ｒを、締結部材５００として、直接、光源フレーム８００に設けてもよい。軸部５２２Ｌ、軸部５２２Ｒを直接光源フレーム８００に設ける場合は、軸部５２２Ｌ、軸部５２２Ｒを光源フレーム８００に溶接、かしめ等の方法で固定すればよい。
軸部５２２Ｌ、軸部５２２Ｒの形状は、内環部５１０４を密着させて貫通できる形状であればよく、多角柱、円錐台の形状でもよい。
【００７２】
（弾性体５１Ｌ、弾性体５１Ｒ）
弾性体５１Ｌ、弾性体５１Ｒは、３箇所以上の複数箇所に屈曲部を有してもよい。
弾性体５１Ｌ、弾性体５１Ｒには、屈曲部が１個だけ存在し、隙間が１箇所だけ存在していてもかまわない。すなわち、外環部５１０３と内環部５１０４の２重環構造でもよい。
弾性体５１Ｌ、弾性体５１Ｒは、第１の隙間５１００と第２の隙間５１０１の両方がなくてもよく、第１の隙間５１００と第２の隙間５１０１の片方だけが存在していてもよい。
第１の隙間５１００と第２の隙間５１０１とは３６０度全周になくてもよく、第１の隙間５１００と第２の隙間５１０１とは少なくとも長手方向に存在していればよい。
弾性体５１Ｌ、弾性体５１Ｒは、円筒形でなくてもよく、六角柱状、八角柱状、その他の多角柱状の筒体でも構わない。
弾性体５１Ｌ、弾性体５１Ｒは、２個ではなく、３個以上存在してもかまわない。
【００７３】
（照明装置３００）
実施の形態１で説明した照明装置３００は、光源ユニット１００がトラフタイプの照明器具２００に着脱自在に取り付けられたトラフタイプの照明装置である。照明装置３００はこれに限らず、例えば、笠付タイプの照明器具、Ｖ形タイプの照明器具に光源ユニット１００が取り付けられたものであってもよい。
また、照明装置３００は長尺形状でなくてもよく、矩形形状を含む多角形形状、円形形状でもよい。光源フレーム８００とカバー体１０００と外部フレーム６０が矩形形状である場合、弾性体５１Ｌ、弾性体５１Ｒは、カバー体１０００の４箇所のコーナーに配置されて、光源フレーム８００と外部フレーム６０が、４箇所のコーナーで固定される。
さらに、照明装置３００は、１つの照明器具に複数の光源ユニット１００を備えるものであってもよい
【００７４】
以上、本発明の実施の形態１，２について説明したが、これらの実施の形態を組み合わせて実施しても構わない。あるいは、これらの実施の形態のうち、１つを部分的に実施しても構わない。あるいは、これらの実施の形態を部分的に組み合わせて実施しても構わない。なお、本発明は、これらの実施の形態に限定されるものではなく、必要に応じて種々の変更が可能である。
【符号の説明】
【００７５】
１１Ｌ  左側端部、１１Ｒ  右側端部、１２Ｌ，１２Ｒ  開口、１５  傾斜面、２０Ｌ，２０Ｒ  カバーパッキン、２１Ｌ，２１Ｒ  窪み部、２２Ｌ，２２Ｒ  通線孔、２３Ｌ，２３Ｒ  支持部、２４Ｌ，２４Ｒ  開孔、３０Ｌ，３０Ｒ  端部カバー、３１Ｌ，３１Ｒ  収納部、３４Ｌ，３４Ｒ  ネジ貫通孔、３８Ｌ，３８Ｒ  排水孔、５０Ｌ，５０Ｒ  取付金具、５１Ｌ，５１Ｒ  弾性体、５２Ｌ，５２Ｒ  軸座金、５３Ｌ，５３Ｒ  ネジ、６０  外部フレーム、６２  平板部、６３  側面部、６４  凹み部、６５  貫通孔、８０  防水型電源装置、８１  電源装置用ケース本体、８４  ネジ、８５  ネジ孔、８８  ネジ、８９  シール、９０Ｌ，９０Ｒ  キャップ、９６Ｌ，９６Ｒ  ネジ、９７Ｌ，９８Ｌ  吊りボルト、１００  光源ユニット、２００  照明器具、２０１  開口、２０２  縁、２０３  縁、２１０  器具側貫通孔、２２０  器具側ナット、２３０  器具側平板部、３００  照明装置、３１０Ｌ  底部、３１１Ｌ  底部表面、３１２Ｌ  排水勾配、３１４Ｌ  矢印、３１５Ｌ  端部、３１６Ｌ  下り勾配領域、３２０Ｌ  起立壁、３３０Ｌ  外郭、３３１Ｌ  内壁、３４１Ｌ  周縁、３８０Ｌ，３８０Ｒ  ハーネス支持部、３９０Ｌ，３９０Ｒ  筒状ガイド、３９１Ｌ，３９１Ｒ  スリット、５００  締結部材、５０２Ｌ  水平部、５０３Ｌ  平板部、５０４Ｌ  側面部、５０５Ｌ，５０６Ｌ，５０７Ｌ  ネジ孔、５０８Ｌ  腕部、５１１Ｌ，５１２Ｌ  側面部、５１３Ｌ，５１４Ｌ  先端、５２０Ｌ，５２０Ｒ  座板、５２１Ｌ，５２１Ｒ  座羽、５２２Ｌ，５２２Ｒ  軸部、５３１Ｌ，５３１Ｒ  水平部、５３２Ｌ  凹み部、５３３Ｌ  貫通孔、５４１Ｌ  ワッシャー、５４２Ｌ  抜け止めワッシャー、７００  光源素子、８００  光源フレーム、８６２  平板部、８６３  側面部、８６４  反転部、８６５  カット部、８８０  台座、９００  ＬＥＤ基板、９６０Ｌ，９６０Ｒ  ネジ、９６１Ｌ  ネジ頭、９６２Ｌ  ネジ軸、９９０  ハーネス、９９１  コネクタケーブル、９９２  コネクタケーブル、９９３  結束具、９９４  電線カバー、９９５  パッキン、１０００  カバー体、５１００  第１の隙間、５１０１  第２の隙間、５１０２  環状溝、５１０３  外環部、５１０４  内環部、５１０５  内襞、５１０６  第１の屈曲部、５１０７  第２の屈曲部、５１０９  挿抜部、５１１０  中環部。
【図１】
0006731775.tif 000002
【図２】
0006731775.tif 000003
【図３】
0006731775.tif 000004
【図４】
0006731775.tif 000005
【図５】
0006731775.tif 000006
【図６】
0006731775.tif 000007
【図７】
0006731775.tif 000008
【図８】
0006731775.tif 000009
【図９】
0006731775.tif 000010
【図１０】
0006731775.tif 000011
【図１１】
0006731775.tif 000012
【図１２】
0006731775.tif 000013
【図１３】
0006731775.tif 000014
【図１４】
0006731775.tif 000015
【図１５】
0006731775.tif 000016
【図１６】
0006731775.tif 000017
【図１７】
0006731775.tif 000018
【図１８】
0006731775.tif 000019
【図１９】
0006731775.tif 000020
【図２０】
0006731775.tif 000021
【図２１】
0006731775.tif 000022
【図２２】
0006731775.tif 000023
【図２３】
0006731775.tif 000024
【図２４】
0006731775.tif 000025
【図２５】
0006731775.tif 000026
【図２６】
0006731775.tif 000027
【図２７】
0006731775.tif 000028
【図２８】
0006731775.tif 000029
【図２９】
0006731775.tif 000030